(57)【特許請求の範囲】
【請求項１】
カードが挿入されるカード挿入口と、
前記カード挿入口を開閉するシャッタと、
前記シャッタを閉状態にロックするロック部材と、
を備えたカード処理装置において、
前記ロック部材は、カード挿入口の幅方向の互いに逆方向へ移動可能な第１および第２のロック部材からなり、
第１のロック部材は、カードの挿入と連動して第１の方向へ移動するように設けられていて、当該移動方向と反対側の第２の方向側に、シャッタの一方の側をロックする第１のロック部を有しているとともに、第１の方向側に、シャッタの他方の側をロックする第３のロック部を有しており、
第２のロック部材は、カードの挿入と連動して第２の方向へ移動するように設けられていて、当該移動方向と反対側の第１の方向側に、シャッタの他方の側をロックする第２のロック部を有しているとともに、第２の方向側に、シャッタの一方の側をロックする第４のロック部を有しており、
カードの挿入と連動して、第１および第２のロック部材がそれぞれ第１および第２の方向へ移動することにより、第１ないし第４のロック部によるシャッタのロックが解除されることを特徴とするカード処理装置。
【請求項２】
請求項１に記載のカード処理装置において、
シャッタは、第２の方向側に、第１のロック部材に設けられた第１のロック部と係止する第１の係止部を有するとともに、第１の方向側に、第２のロック部材に設けられた第２のロック部と係止する第２の係止部を有することを特徴とするカード処理装置。
【請求項３】
請求項２に記載のカード処理装置において、
第１のロック部材は、第２の方向側に延びる第１のアーム部を有し、当該アーム部の先端部により第１のロック部が形成され、
第２のロック部材は、第１の方向側に延びる第２のアーム部を有し、当該アーム部の先端部により第２のロック部が形成され、
シャッタの第１の係止部は、第１のロック部に当接する第１の突起からなり、
シャッタの第２の係止部は、第２のロック部に当接する第２の突起からなることを特徴とするカード処理装置。
【請求項４】
請求項１ないし請求項３のいずれかに記載のカード処理装置において、
第１のロック部材は、第１の方向側にカードと当接する第１のガイド部を有し、
第２のロック部材は、第２の方向側にカードと当接する第２のガイド部を有し、
カード挿入口から挿入されたカードで第１および第２のガイド部が押されることにより、第１および第２のロック部材がそれぞれ第１および第２の方向へ移動して、シャッタのロックが解除されることを特徴とするカード処理装置。
【請求項５】
請求項４に記載のカード処理装置において、
第１のロック部材は、第１のガイド部に対してカード挿入口と反対側に、カードと当接する第３のガイド部を有し、
第２のロック部材は、第２のガイド部に対してカード挿入口と反対側に、カードと当接する第４のガイド部を有し、
カード挿入口へ排出されるカードで第３および第４のガイド部が押されることにより、第１および第２のロック部材がそれぞれ第１および第２の方向へ移動して、シャッタのロックが解除されることを特徴とするカード処理装置。
【請求項６】
請求項５に記載のカード処理装置において、
第１ないし第４のガイド部は、カード挿入方向に対して傾斜した傾斜面からなることを特徴とするカード処理装置。
【請求項７】
カードが挿入されるカード挿入口と、
前記カード挿入口を開閉するシャッタと、
前記シャッタを閉状態にロックするロック部材と、
を備えたカード処理装置において、
前記ロック部材は、カード挿入口の幅方向の互いに逆方向へ移動可能な第１および第２のロック部材からなり、
第１のロック部材は、カードの挿入と連動して第１の方向へ移動するように設けられていて、当該移動方向と反対側の第２の方向側に、シャッタの一方の側をロックする第１のロック部を有しているとともに、第１の方向側に、カードと当接する第１のガイド部を有し、さらに、第１のガイド部に対してカード挿入口と反対側に、カードと当接する第３のガイド部を有しており、
第２のロック部材は、カードの挿入と連動して第２の方向へ移動するように設けられていて、当該移動方向と反対側の第１の方向側に、シャッタの他方の側をロックする第２のロック部を有しているとともに、第２の方向側に、カードと当接する第２のガイド部を有し、さらに、第２のガイド部に対してカード挿入口と反対側に、カードと当接する第４のガイド部を有しており、
カード挿入口から挿入されたカードで第１および第２のガイド部が押されることにより、第１および第２のロック部材がそれぞれ第１および第２の方向へ移動して、シャッタのロックが解除され、
カード挿入口へ排出されるカードで第３および第４のガイド部が押されることにより、第１および第２のロック部材がそれぞれ第１および第２の方向へ移動して、シャッタのロックが解除されることを特徴とするカード処理装置。
【請求項８】
請求項７に記載のカード処理装置において、
シャッタは、第２の方向側に、第１のロック部材に設けられた第１のロック部と係止する第１の係止部を有するとともに、第１の方向側に、第２のロック部材に設けられた第２のロック部と係止する第２の係止部を有することを特徴とするカード処理装置。
【請求項９】
請求項８に記載のカード処理装置において、
第１のロック部材は、第２の方向側に延びる第１のアーム部を有し、当該アーム部の先端部により第１のロック部が形成され、
第２のロック部材は、第１の方向側に延びる第２のアーム部を有し、当該アーム部の先端部により第２のロック部が形成され、
シャッタの第１の係止部は、第１のロック部に当接する第１の突起からなり、
シャッタの第２の係止部は、第２のロック部に当接する第２の突起からなることを特徴とするカード処理装置。
【請求項１０】
請求項７ないし請求項９のいずれかに記載のカード処理装置において、
第１ないし第４のガイド部は、カード挿入方向に対して傾斜した傾斜面からなることを特徴とするカード処理装置。
【発明の詳細な説明】
【技術分野】
【０００１】
本発明は、自動取引装置などに搭載されるカード処理装置に関し、特に、カード挿入口に設けられるシャッタのロック機構に関する。
【背景技術】
【０００２】
ＡＴＭ（Automated Teller Machine）のような自動取引装置には、カードを取り扱うカード処理装置が搭載されている。カード処理装置では、カード挿入口からカードが挿入されると、モータや搬送ローラ等の搬送手段によりカードを内部へ取り込み、カードに記録されている情報を読み取ったり、カードに情報を書き込んだりする処理を行う。そして、カードに対して読み取りや書き込みの処理が終了すると、搬送手段によりカードを挿入口へ搬送して外部へ排出する。
【０００３】
このようなカード処理装置においては、カード挿入口にシャッタを備えたものがある。シャッタの役割は、カード挿入口から装置内部へ埃が侵入するのを防ぐこと、取引処理中に２枚目のカードが誤って挿入されるのを防ぐこと、カード挿入口から異物が挿入されるのを防ぐことなどである。特に、カード以外の物が取り込まれると故障の原因となることから、異物の侵入防止はカード処理装置において必須の機能である。
【０００４】
このため、カード挿入口付近にカード検知用のセンサを設け、センサがカードを検知すると、ソレノイド等が作動して電気的にシャッタを開閉するカード処理装置がある。また、カードの幅や厚みに応じて、カードの挿入と連動して機械的にシャッタを開閉するカード処理装置もある。
【０００５】
図１０は、後者のカード処理装置の一例を示す外観図である。１００はカード処理装置、１０１はカード処理装置１００の筐体、１０２は筐体１０１の前面に設けられたカード受入れ部、１０３はカード受入れ部１０２に形成されたカード挿入口、１０４はカード挿入口１０３の内部に設けられたシャッタである。
【０００６】
図１１は、シャッタ１０４の斜視図を示している。シャッタ１０４は、カード挿入口１０３の幅方向に延びるシャッタ本体１０５と、このシャッタ本体１０５の両端部に設けられた傾斜面からなるガイド部１０６ａ，１０６ｂとを備えている。
【０００７】
図１２Ａ〜図１２Ｃは、シャッタ１０４の動作を説明する図である。各図において、（ａ）はカード受入れ部１０２の側面断面図、（ｂ）は同正面断面図を示している。図中、１０７，１０８は、シャッタ１０４の下部に設けられたスプリングであり、２００はカード挿入口１０３へ挿入されるカードである。
【０００８】
図１２Ａのように、カード挿入口１０３にカード２００が挿入される前は、シャッタ１０４は、スプリング１０７，１０８の弾性力により上方向に付勢されていて、カード挿入口１０３を閉じている。これにより、埃や異物が内部に侵入するのが防止される。
【０００９】
次に、図１２Ｂのように、カード２００がカード挿入口１０３へ挿入されると、カード２００の先端の両側が、シャッタ１０４のガイド部１０６ａ，１０６ｂに当接する。この状態から、カード２００をさらに矢印方向へ挿入すると、カード２００の先端がガイド部１０６ａ，１０６ｂの傾斜面に案内されて、シャッタ１０４の上面に乗り上げ、図１２Ｃのように、シャッタ１０４がスプリング１０７，１０８の弾性力に抗して下方へ押し下げられる。
【００１０】
これによって、カード挿入口１０３が開いた状態となり、カード２００は、図示しない搬送ローラにより筐体１０１の内部に取り込まれる。カード２００が取り込まれた後は、シャッタ１０４がスプリング１０７，１０８の弾性力により再び上方向に付勢され、図１２Ａの状態に復帰してカード挿入口１０３を閉じる。
【００１１】
カードの挿入と連動してシャッタを開閉するカード処理装置の他の例として、特許文献１に示されるものがある。このカード処理装置においては、カードと当接して回動するレバーを設け、正規カードが挿入されたときは、シャッタがレバーと一体に回動して開くことでカードを進入させ、正規のカード幅に満たないような不良カードや、紙片・硬貨等の異物が挿入されたときは、レバーが回動せずにシャッタを閉じたままにして、異物の侵入を阻止するようにしている。
【００１２】
特許文献２〜７にも、カードの挿入と連動してシャッタを開閉するカード処理装置が開示されている。特許文献２〜６では、シャッタをロックするための一対のロック部材が設けられ、正規のカードが挿入された場合のみ双方のロック部材によるロックが解除されてシャッタが開くようにしている。特許文献７では、シャッタロック用のロック部材を設けるとともに、カード挿入口の両側に第１および第２のカード検知部を設け、第２のカード検知部によりロック部材をロックして、カード以外の物が挿入されたときの誤検知を防止するようにしている。
【００１３】
【特許文献１】特許第２６５２６２６号公報
【特許文献２】特開２００１−６７４４１号公報
【特許文献３】特開２００３−３４６０９０号公報
【特許文献４】特開２００５−８４８７４号公報
【特許文献５】特開２００５−１１６２４０号公報
【特許文献６】特開２００６−６６３１０号公報
【特許文献７】特開２００４−２２０５６８号公報
【発明の開示】
【発明が解決しようとする課題】
【００１４】
図１０に示したカード処理装置１００においては、カード挿入口１０３の中央付近に、正規のカード幅より短い幅をもった板状の異物を挿入しても、シャッタ１０４のガイド部１０６ａ，１０６ｂに異物が当接しないため、シャッタ１０４が押し下げられて開くことがなく、異物の挿入が阻止される。しかし、図１３に示したように、カード挿入口１０３のいずれか一端側（ここでは左側）に、正規のカード幅より短い幅をもった板状の異物３００が挿入されると、シャッタ１０４の一方のガイド部１０６ａに異物３００の先端が当接し乗り上げるので、図１４に示すように、シャッタ１０４が斜めに傾いて隙間が生じ、異物３００の挿入が可能となる。
【００１５】
特許文献１のカード処理装置においては、レバーの設けられていない側に正規のカード幅より短い幅をもった板状の異物を挿入しても、シャッタは開かないが、レバーの設けられている側に異物が挿入された場合は、レバーが回動してシャッタが開いてしまうという問題がある。
【００１６】
特許文献２〜６のカード処理装置においては、カード挿入口の一端側から異物を挿入して一方のロック部材のロックが解除されると、異物が挿入された側でシャッタが傾き、図１４で説明したのと同様の問題が発生する。
【００１７】
特許文献７のカード処理装置においては、センサやアクチュエータなどの電気的手段を必要とし、構成が複雑化するという問題がある。
【００１８】
そこで本発明は、簡単な構造によってシャッタを確実にロックすることができるカード処理装置を提供することを目的とする。
【課題を解決するための手段】
【００１９】
本発明に係るカード処理装置は、カードが挿入されるカード挿入口と、このカード挿入口を開閉するシャッタと、このシャッタを閉状態にロックするロック部材とを備えたカード処理装置であって、ロック部材は、カード挿入口の幅方向の互いに逆方向へ移動可能な第１および第２のロック部材からなる。第１のロック部材は、カードの挿入と連動して第１の方向へ移動するように設けられていて、当該移動方向と反対側の第２の方向側に、シャッタの一方の側をロックする第１のロック部を有しているとともに、第１の方向側に、シャッタの他方の側をロックする第３のロック部を有する。また、第２のロック部材は、カードの挿入と連動して第２の方向へ移動するように設けられていて、当該移動方向と反対側の第１の方向側に、シャッタの他方の側をロックする第２のロック部を有しているとともに、第２の方向側に、シャッタの一方の側をロックする第４のロック部を有する。そして、カードの挿入と連動して、第１および第２のロック部材がそれぞれ第１および第２の方向へ移動することにより、第１ないし第４のロック部によるシャッタのロックが解除される。
【００２０】
このように、互いに逆方向へ移動する第１および第２のロック部材を設け、カードの挿入と連動する各ロック部材の移動によって、第１ないし第４のロック部のロックが解除される構造としたことにより、全てのロック部のロックが解除されてはじめてシャッタが開く。このため、正規のカード幅より短い幅をもった異物によって、一方のロック部材のロックが解除されても、異物が挿入された側では他方のロック部材によるロック状態が維持されるので、異物挿入側でシャッタが傾いて隙間が生じることはなく、異物の挿入を阻止することができる。
【００２１】
本発明の実施形態として、シャッタは、第２の方向側に、第１のロック部材に設けられた第１のロック部と係止する第１の係止部を有するとともに、第１の方向側に、第２のロック部材に設けられた第２のロック部と係止する第２の係止部を有する構成が考えられる。
【００２２】
これによると、シャッタに設けた２つの係止部を、各ロック部材のロック部に係止させることにより、シャッタがロックされ、２つの係止部を各ロック部材のロック部に係止させないことにより、シャッタのロックが解除される。
【００２３】
この場合、第１のロック部材は、第２の方向側に延びる第１のアーム部を有し、当該アーム部の先端部により第１のロック部が形成され、第２のロック部材は、第１の方向側に延びる第２のアーム部を有し、当該アーム部の先端部により第２のロック部が形成され、シャッタの第１の係止部は、第１のロック部に当接する第１の突起からなり、シャッタの第２の係止部は、第２のロック部に当接する第２の突起からなる構成としてもよい。
【００２４】
これによると、シャッタに２つの突起を設け、第１および第２のロック部材に各突起と当接するアーム部を設けるという簡単な構造により、シャッタのロック機構を実現することができる。
【００２５】
本発明の実施形態として、第１のロック部材は、第１の方向側にカードと当接する第１のガイド部を有し、第２のロック部材は、第２の方向側にカードと当接する第２のガイド部を有し、カード挿入口から挿入されたカードで第１および第２のガイド部が押されることにより、第１および第２のロック部材がそれぞれ第１および第２の方向へ移動して、シャッタのロックが解除される構成を採用してもよい。
【００２６】
これによると、正規のカードが挿入されたときに、第１および第２のガイド部がカードで直接押されて、各ロック部材が同時に逆方向へ移動するので、第１および第２のロック部材は、シャッタをロックする機能と、カードの幅を検知する機能の両機能を兼ね備えたものとなる。このため、カード幅の検知手段を別に設ける必要がなく、構成をより簡略化することができる。
【００２７】
この実施形態の場合、第１のロック部材は、第１のガイド部に対してカード挿入口と反対側に、カードと当接する第３のガイド部を有し、第２のロック部材は、第２のガイド部に対してカード挿入口と反対側に、カードと当接する第４のガイド部を有し、カード挿入口へ排出されるカードで第３および第４のガイド部が押されることにより、第１および第２のロック部材がそれぞれ第１および第２の方向へ移動して、シャッタのロックが解除される構成を採用してもよい。
【００２８】
これによると、カードが挿入される場合に加えて、カードが排出される場合においても、カード挿入時と同様の原理に従って、カードと連動して第１および第２のロック部材によるシャッタのロックを解除することができる。
【００２９】
この場合、第１ないし第４のガイド部は、カード挿入方向に対して傾斜した傾斜面からなる構成としてもよい。
【００３０】
これによると、カードを挿入または排出する過程で、カードが各ガイド部の傾斜面で案内されながら第１および第２のロック部材を両側に押し広げるので、カードに強い力を加えなくても、各ロック部材を容易に移動させることができる。
【発明の効果】
【００３３】
本発明によれば、カードの挿入と連動して互いに逆方向へ移動する一対のロック部材を設け、各ロック部材による全てのロックが解除された場合にシャッタが開くようにしたので、正規のカード幅より短い幅をもった異物が挿入された場合でも、挿入側でシャッタが開くことはなく、簡単な構造によって異物の挿入を阻止することができる。
【発明を実施するための最良の形態】
【００３４】
図１は、本発明の実施形態に係るカード処理装置の概略構造を示す図であって、（ａ）は側面断面図、（ｂ）は正面断面図、（ｃ）は平面断面図である。図２は、ロック機構を示す分解斜視図、図３はロック機構の組立を説明する斜視図、図４は組立後のロック機構を示す斜視図である。
【００３５】
図１において、Ａはカード処理装置、１はカード処理装置Ａの筐体、２は筐体１の前面に設けられたカード受入れ部、３はカード受入れ部２に形成されたカード挿入口、４はカード挿入口３の内部に設けられたシャッタである。７ａ，７ｂは、シャッタ４の下部に設けられ、シャッタ４を常時上方向に付勢するスプリングである。１０および２０は、シャッタ４をロックするためのロック部材である。８ａはロック部材２０を右方向に付勢するスプリング、８ｂはロック部材１０を左方向に付勢するスプリングである。
【００３６】
シャッタ４とロック部材１０，２０の詳細につき、図１および図２を参照しながら説明する。図２において、シャッタ４は、カード挿入口３の幅方向（図１（ｂ）のＸ方向）に延びるシャッタ本体４１と、このシャッタ本体４１の両端部に設けられた傾斜面からなるガイド部４２，４３と、シャッタ本体４１の左側に設けられた突起５とを備えている。また、シャッタ本体４１のガイド部４２，４３と反対側には、図１（ｃ）に示すように、傾斜面からなるガイド部４４，４５が形成されているとともに、シャッタ本体４１の裏側における突起５と点対称の位置には、突起６が形成されている。
【００３７】
ロック部材１０は、図２に示すように、左側へ延びるアーム部１１と、このアーム部１１の基端側（右側）において垂直に立ち上がる一対の起立片１１ａ，１１ｂとを備えている。アーム部１１の先端部１１ｄの上面には、シャッタ４に設けられた突起５の下面５ａが当接する。起立片１１ａには、シャッタ４のガイド部４３の下面を受ける受面１１ｃが形成されているとともに、挿入されるカードと当接するガイド部１２ａが形成されている。起立片１１ｂには、排出されるカードと当接するガイド部１２ｂが形成されている。ガイド部１２ａ，１２ｂは、カードの挿入方向（図１（ｃ）のＹ方向）に対して傾斜した傾斜面からなる。起立片１１ａと起立片１１ｂとの間には、シャッタ４の右側端部が嵌合する凹部１３が形成されている。
【００３８】
ロック部材２０は、図２に示すように、右側へ延びるアーム部２１と、このアーム部２１の基端側（左側）において垂直に立ち上がる一対の起立片２１ａ，２１ｂとを備えている。アーム部２１の先端部２１ｄの上面には、シャッタ４に設けられた突起６（図１（ｃ）参照）の下面が当接する。起立片２１ａには、挿入されるカードと当接するガイド部２２ａが形成されている。起立片２１ｂには、シャッタ４のガイド部４４の下面を受ける受面２１ｃが形成されているとともに、排出されるカードと当接するガイド部２２ｂが形成されている。
【００３９】
図３に示すように、ロック部材１０とロック部材２０は、カード挿入方向Ｙからみて、アーム部１１が手前側、アーム部２１が奥側となるように、間隔を置いて配置される。そして、シャッタ４の両端部が、ロック部材１０，２０の凹部１３，２３に嵌合するとともに、ガイド部４３，４４の下面が受面１１ｃ，２１ｃに係止し、シャッタ本体４１がアーム部１１，２１の間に挟まれて位置する。
【００４０】
図４は、シャッタ４とロック部材１０，２０とを組み立てた状態を示している。図示は省略してあるが、シャッタ４の下部には、図１に示したスプリング７ａ，７ｂが配備され、ロック部材１０の右側部には、スプリング８ｂが配備され、ロック部材２０の左側部には、スプリング８ａが配備される。
【００４１】
以上の構成において、ロック部材１０，２０は、それぞれ本発明における第１および第２のロック部材の一実施形態である。ロック部材１０，２０のアーム部１１，２１は、それぞれ本発明における第１および第２のアーム部の一実施形態である。アーム部１１，２１の先端部１１ｄ，２１ｄは、それぞれ本発明における第１および第２のロック部の一実施形態である。ロック部材１０の受面１１ｃおよび凹部１３は、本発明における第３のロック部の一実施形態であり、ロック部材２０の受面２１ｃおよび凹部２３は、本発明における第４のロック部の一実施形態である。シャッタ４の突起５は、本発明における第１の係止部および第１の突起の一実施形態であり、シャッタ４の突起６は、本発明における第２の係止部および第２の突起の一実施形態である。ロック部材１０のガイド部１２ａ、１２ｂは、それぞれ本発明における第１および第３のガイド部の一実施形態であり、ロック部材２０のガイド部２２ａ、２２ｂは、それぞれ本発明における第２および第４のガイド部の一実施形態である。
【００４２】
次に、カード処理装置Ａにおけるシャッタ４の動作につき、図１および図５Ａ〜図５Ｄを参照しながら説明する。各図において、（ａ）は側面断面図、（ｂ）は正面断面図、（ｃ）は平面断面図である。
【００４３】
カード挿入口３にカードが挿入される前は、図１に示すように、シャッタ４は、スプリング７ａ，７ｂの弾性力により上方向に付勢されていて、カード挿入口３を閉じている。これにより、埃や異物が内部に侵入するのが防止される。
【００４４】
また、ロック部材１０におけるアーム部１１の先端部１１ｄ（図２）にシャッタ４の突起５が係止するとともに、シャッタ４の右端部がロック部材１０の凹部１３と嵌合し、シャッタ４のガイド部４３の下面がロック部材１０の受面１１ｃ（図２）に係止することで、シャッタ４の左右両側がロック部材１０によってロックされている。
【００４５】
また、ロック部材２０におけるアーム部２１の先端部２１ｄ（図２）にシャッタ４の突起６が係止するとともに、シャッタ４の左端部がロック部材２０の凹部２３と嵌合し、シャッタ４のガイド部４４の下面がロック部材２０の受面２１ｃ（図２）に係止することで、シャッタ４の左右両側がロック部材２０によってロックされている。
【００４６】
このように、ロック部材１０，２０によってシャッタ４は４箇所でロックされているため、シャッタ４は下方へ変位することが不可能となっている。また、カード挿入口３からみて、シャッタ４のガイド部４２，４３の手前にロック部材１０，２０のガイド部２２ａ，１２ａが位置しているため、カードはシャッタ４のガイド部４２，４３に当接することが不可能となっている。
【００４７】
カード挿入口３にカードが挿入されると、図５Ａに示すように、カード５０の先端の両側が、ロック部材１０に形成されたガイド部１２ａと、ロック部材２０に形成されたガイド部２２ａに当接する。この状態から、カード５０をさらに矢印方向へ挿入すると、図５Ｂに示すように、カード５０が、傾斜面からなるガイド部１２ａ，２２ａで案内されながら、ロック部材１０，２０を両側に押し広げる。これにより、ロック部材１０がスプリング８ｂの弾性力に抗して右方向へ移動するとともに、ロック部材２０がスプリング８ａの弾性力に抗して左方向へ移動する。
【００４８】
そして、カード５０を図５Ｃに示す位置まで挿入すると、ロック部材１０，２０はカード５０によってさらに押し広げられ、左右方向へ最大距離移動する。この結果、右方向へ移動したロック部材１０におけるアーム部１１の先端部１１ｄがシャッタ４の突起５から外れ、ロック部材１０の移動方向と反対側（左側）において、シャッタ４のロックが解除される。また、これと同時に、シャッタ４の右端部とロック部材１０の凹部１３との嵌合、およびシャッタ４のガイド部４３とロック部材１０の受面１１ｃとの係止が解かれ、ロック部材１０の移動方向と同じ側（右側）においても、ロックが解除される。
【００４９】
一方、左方向へ移動したロック部材２０におけるアーム部２１の先端部２１ｄがシャッタ４の突起６から外れ、ロック部材２０の移動方向と反対側（右側）において、シャッタ４のロックが解除される。また、これと同時に、シャッタ４の左端部とロック部材２０の凹部２３との嵌合、およびシャッタ４のガイド部４４とロック部材２０の受面２１ｃとの係止が解かれ、ロック部材２０の移動方向と同じ側（左側）においても、ロックが解除される。
【００５０】
このようにして、カード５０の挿入と連動してロック部材１０，２０が左右に最大限移動することにより、計４箇所のロックが全て解除され、シャッタ４は下方へ変位することが可能となる。また、ロック部材１０，２０が左右に移動してガイド部１２ａ，２２ａが退避することで、カード５０はシャッタ４のガイド部４２，４３に当接可能となる。
【００５１】
このため、カード５０をさらに挿入すると、カード５０の先端がガイド部４２，４３の傾斜面に案内されて、シャッタ４の上面に乗り上げ、図５Ｄに示すように、シャッタ４がスプリング７ａ，７ｂの弾性力に抗して下方へ押し下げられる。
【００５２】
これによって、カード挿入口３が開いた状態となり、カード５０は、図示しない搬送ローラにより筐体１（図１（ａ））の内部に取り込まれる。カード５０が取り込まれた後は、シャッタ４がスプリング７ａ，７ｂの弾性力により再び上方向に付勢され、図１の状態に復帰してカード挿入口３を閉じる。
【００５３】
筐体１の内部に取り込まれたカード５０の処理が終了すると、カード５０は搬送ローラによりカード挿入口３に向けて搬送される。そして、カード５０がロック部材１０，２０に差しかかると、カード挿入時と同様の原理に従って、シャッタ４のロックが解除される。
【００５４】
すなわち、カード５０の先端の両側が、ロック部材１０に形成されたガイド部１２ｂと、ロック部材２０に形成されたガイド部２２ｂに当接した後、ロック部材１０，２０がカード５０により押し広げられる。そして、ロック部材１０，２０が左右方向へ最大距離移動すると、図５Ｃの場合と同様に、ロック部材１０におけるアーム部１１の先端部１１ｄがシャッタ４の突起５から外れるとともに、シャッタ４とロック部材１０の凹部１３との嵌合、およびシャッタ４のガイド部４３の下面とロック部材１０の受面１１ｃとの係止が解かれ、ロック部材１０によるシャッタ４の左右両側のロックが解除される。
【００５５】
また、これと同時に、ロック部材２０におけるアーム部２１の先端部２１ｄがシャッタ４の突起６から外れるとともに、シャッタ４とロック部材２０の凹部２３との嵌合、およびシャッタ４のガイド部４４の下面とロック部材２０の受面２１ｃとの係止が解かれ、ロック部材２０によるシャッタ４の左右両側のロックが解除される。
【００５６】
このようにして、排出されるカード５０と連動してロック部材１０，２０が左右に最大限移動することにより、計４箇所のロックが全て解除され、シャッタ４は下方へ変位することが可能となる。また、ロック部材１０，２０が左右に移動してガイド部１２ｂ，２２ｂが退避することで、カード５０はシャッタ４のガイド部４４，４５に当接可能となる。
【００５７】
このため、カード５０がさらに搬送されると、カード５０の先端がガイド部４４，４５の傾斜面に案内されて、シャッタ４の上面に乗り上げ、シャッタ４がスプリング７ａ，７ｂの弾性力に抗して下方へ押し下げられる。
【００５８】
これによって、カード挿入口３が開いた状態となり、カード５０は、カード挿入口３へ排出される。カード５０が排出された後は、シャッタ４がスプリング７ａ，７ｂの弾性力により再び上方向に付勢され、カード挿入口３を閉じる。
【００５９】
次に、カード以外の物がカード挿入口３から挿入された場合のロック動作について、図６〜図８を参照しながら説明する。各図において、（ａ）は正面断面図、（ｂ）は平面断面図である。
【００６０】
図６は、カード挿入口３の幅方向の中央部に、正規のカード幅より短い幅をもった板状の異物６０が挿入された場合を示している。この場合は、異物６０の先端部がロック部材１０，２０のガイド部１２ａ，２２ａに当接しないので、ロック部材１０，２０は異物６０により左右に移動することはない。したがって、シャッタ４はロック部材１０，２０によるロック状態を維持するので、異物６０によってシャッタ４が押されたり、シャッタ４の上部から無理やり異物６０を挿入しようとしても、シャッタ４は開かない。
【００６１】
図７は、カード挿入口３の右側に、正規のカード幅より短い幅をもった板状の異物６０が挿入された場合を示している。この場合は、異物６０の先端部でロック部材１０のガイド部１２ａが押されると、ロック部材１０が図のように右方向へ移動して、アーム部１１とシャッタ４の突起５との係止が解除され、同時に、シャッタ４の右端部とロック部材１０の凹部１３との嵌合、およびシャッタ４のガイド部４３の下面とロック部材１０の受面１１ｃとの係止が解かれ、ロック部材１０によるロックが解除される。
【００６２】
しかしながら、ロック部材２０のガイド部２２ａは異物６０で押されないので、ロック部材２０は左方向へ移動しない。このため、アーム部２１とシャッタ４の突起６との係止は維持され、シャッタ４の左端部とロック部材２０の凹部２３（図２）との嵌合、およびシャッタ４のガイド部４４の下面とロック部材２０の受面２１ｃ（図２）との係止も維持される。
【００６３】
したがって、たとえロック部材１０によるロックが解除されても、ロック部材２０によるロックが解除されないので、シャッタ４はロック部材２０により依然として左右両側でロック状態を維持する。このため、異物６０でロック部材１０のガイド部１２ａが押されても、押された側（右側）においてシャッタ４が傾いて隙間が生じることはなく、押された側と反対側（左側）においてシャッタ４が傾いて隙間が生じることもない。この結果、異物６０の侵入を確実に防止することができる。
【００６４】
図８は、カード挿入口３の左側に、正規のカード幅より短い幅をもった板状の異物６０が挿入された場合を示している。この場合は、異物６０の先端部でガイド部２２ａが押されると、ロック部材２０が図のように左方向へ移動して、アーム部２１とシャッタ４の突起６との係止が解除され、同時に、シャッタ４の左端部とロック部材２０の凹部２３との嵌合、およびシャッタ４のガイド部４４の下面とロック部材２０の受面２１ｃとの係止が解かれ、ロック部材２０によるロックが解除される。
【００６５】
しかしながら、ロック部材１０のガイド部１２ａは異物６０で押されないので、ロック部材１０は右方向へ移動しない。このため、アーム部１１とシャッタ４の突起５との係止は維持され、シャッタ４の右端部とロック部材１０の凹部１３（図２）との嵌合、およびシャッタ４のガイド部４３の下面とロック部材１０の受面１１ｃ（図２）との係止も維持される。
【００６６】
したがって、たとえロック部材２０によるロックが解除されても、ロック部材１０によるロックが解除されないので、シャッタ４はロック部材１０により依然として左右両側でロック状態を維持する。このため、異物６０でロック部材２０のガイド部２２ａが押されても、押された側（左側）においてシャッタ４が傾いて隙間が生じることはなく、押された側と反対側（右側）においてシャッタ４が傾いて隙間が生じることもない。この結果、異物６０の侵入を確実に防止することができる。
【００６７】
以上述べた実施形態によれば、互いに逆方向へ移動する一対のロック部材１０，２０を設け、カード５０の挿入と連動する各ロック部材１０，２０の移動によって、それぞれの移動方向と反対側でロックが解除されるようにしたので、正規のカード幅より短い幅をもった板状の異物６０によって、一方のロック部材１０（または２０）のロックが解除されても、異物６０が挿入された側では他方のロック部材２０（または１０）によるロック状態が維持されるため、異物挿入側でシャッタ４が傾いて隙間が生じることはなく、異物６０の挿入を阻止することができる。
【００６８】
また、シャッタ４に２つの突起５，６を設け、ロック部材１０，２０に各突起５，６と当接するアーム部１１，２１を設けるという簡単な構造により、シャッタ４のロック機構を実現することができる。
【００６９】
また、正規のカード５０が挿入されたときに、ガイド部１２ａ，２２ａがカード５０で直接押されて、ロック部材１０，２０が同時に逆方向へ移動するので、ロック部材１０，２０は、シャッタ４をロックする機能と、カード５０の幅を検知する機能の両機能を兼ね備えたものとなる。このため、カード幅を検知するための機構やセンサ等を別に設ける必要がなく、構成がより簡略化される。
【００７０】
また、ロック部材１０のガイド部１２ａに対してカード挿入口３と反対側に、カード５０と当接するガイド部１２ｂを設けるとともに、ロック部材２０のガイド部２２ａに対してカード挿入口３と反対側に、カード５０と当接するガイド部２２ｂを設け、カード挿入口３へ排出されるカード５０でガイド部１２ｂ，２２ｂが押されることにより、ロック部材１０，２０が逆方向へ移動して、シャッタ４のロックが解除されるようにしたので、カード５０が排出される場合においても、カード５０と連動してロック部材１０，２０によるシャッタ４のロックを解除することができる。
【００７１】
また、ロック部材１０のガイド部１２ａ，１２ｂおよびロック部材２０のガイド部２２ａ，２２ｂは、いずれもカード挿入方向に対して傾斜した傾斜面からなるため、カード５０を挿入または排出する過程で、カード５０が各ガイド部の傾斜面で案内されながらロック部材１０，２０を両側に押し広げるので、カード５０に強い力を加えなくても、各ロック部材１０，２０を容易に移動させることができる。
【００７２】
さらに、シャッタ４はロック部材１０によって左右両側でロックされるとともに、ロック部材２０によって左右両側でロックされるため、４箇所のロックが全て同時に解除されない限り、シャッタ４はロック状態を維持し、全てのロックが解除されてはじめてシャッタ４が開くので、異物６０の侵入をより効果的に阻止することができる。
【００７３】
本発明では、以上述べた実施形態以外にも、種々の実施形態を採用することができる。例えば、上記実施形態では、ロック部材１０，２０のアーム部１１，２１にシャッタ４の突起５，６を係止させることに加えて、シャッタ４の端部をロック部材１０，２０の凹部１３，２３と嵌合させ、かつ、シャッタ４のガイド部４３，４４の下面をロック部材１０，２０の受面１１ｃ，２１ｃに係止させることにより、シャッタ４を左右４箇所でロックしたが、ロック部材１０，２０のアーム部１１，２１とシャッタ４の突起５，６との係止のみにより、シャッタ４を左右２箇所でロックするようにしてもよい。この場合の一実施形態を図９に示す。
【００７４】
図９において、シャッタ７０は、シャッタ本体７１と、このシャッタ本体７１の上部に設けられた傾斜面からなるガイド部７２，７３と、シャッタ本体７１の表裏の点対称位置に設けられた突起７４，７５とを備えている。
【００７５】
ロック部材８０は、アーム部８１と、このアーム部８１の基端側において垂直に立ち上がる一対の起立片８１ａ，８１ｂとを備えている。アーム部８１の先端部８１ｄの上面には、シャッタ７０に設けられた突起７４の下面が当接する。起立片８１ａには、挿入されるカードと当接する傾斜面からなるガイド部８２ａが形成されており、起立片８１ｂには、排出されるカードと当接する傾斜面からなるガイド部８２ｂが形成されている。
【００７６】
ロック部材９０は、アーム部９１と、このアーム部９１の基端側において垂直に立ち上がる一対の起立片９１ａ，９１ｂとを備えている。アーム部９１の先端部９１ｄの上面には、シャッタ７０に設けられた突起７５の下面が当接する。起立片９１ａには、挿入されるカードと当接する傾斜面からなるガイド部９２ａが形成されており、起立片９１ｂには、排出されるカードと当接する傾斜面からなるガイド部９２ｂが形成されている。
【００７７】
ロック部材８０とロック部材９０は、カード挿入方向Ｙからみて、アーム部８１が手前側、アーム部９１が奥側となるように、間隔を置いて配置され、シャッタ本体７１がアーム部８１，９１の間に挟まれて位置する。シャッタ７０の下部、ロック部材８０の右側部およびロック部材９０の左側部には、図示しないスプリングが配備される。
【００７８】
以上の構成において、ロック部材８０，９０は、それぞれ本発明における第１および第２のロック部材の一実施形態である。ロック部材８０，９０のアーム部８１，９１は、それぞれ本発明における第１および第２のアーム部の一実施形態である。アーム部８１，９１の先端部８１ｄ，９１ｄは、それぞれ本発明における第１および第２のロック部の一実施形態である。シャッタ７０の突起７４は、本発明における第１の係止部および第１の突起の一実施形態であり、シャッタ７０の突起７５は、本発明における第２の係止部および第２の突起の一実施形態である。ロック部材８０のガイド部８２ａ，８２ｂは、それぞれ本発明における第１および第３のガイド部の一実施形態であり、ロック部材９０のガイド部９２ａ，９２ｂは、それぞれ本発明における第２および第４のガイド部の一実施形態である。
【００７９】
図９の実施形態においても、互いに逆方向へ移動する一対のロック部材８０，９０を設け、カードの挿入と連動する各ロック部材８０，９０の移動によって、それぞれの移動方向と反対側でロックが解除されるため、正規のカード幅より短い幅をもった板状の異物によって、例えばガイド部８２ａが押されてロック部材８０によるロック（アーム８１と突起７４との係止）が解除されても、ロック部材９０によるロック（アーム９１と突起７５との係止）が維持されるので、異物挿入側でシャッタ７０が傾いて隙間が生じることはなく、異物の挿入を阻止することができる。
【００８０】
また、図１の実施形態では、ロック部材１０，２０にガイド部１２ｂ，２２ｂを設けることにより、カード５０の排出時にカードによって直接ロック部材１０，２０を移動させて、シャッタ４のロックを解除するようにしたが、カード排出時にロック部材１０，２０を移動させるための手段を別に設けてもよい。
【００８１】
さらに、以上述べた各実施形態では、ＡＴＭのような自動取引装置に搭載されるカード処理装置を例に挙げたが、本発明のカード処理装置は、自動取引装置だけに限らず、カードを取り扱う装置全般に適用することができる。
【図面の簡単な説明】
【００８２】
【図１】本発明の実施形態に係るカード処理装置の概略構造を示す図である。
【図２】ロック機構を示す分解斜視図である。
【図３】ロック機構の組立を説明する斜視図である。
【図４】組立後のロック機構を示す斜視図である。
【図５Ａ】シャッタの動作を説明する図である。
【図５Ｂ】シャッタの動作を説明する図である。
【図５Ｃ】シャッタの動作を説明する図である。
【図５Ｄ】シャッタの動作を説明する図である。
【図６】カード挿入口の中央部における異物の挿入を説明する図である。
【図７】カード挿入口の右側における異物の挿入を説明する図である。
【図８】カード挿入口の左側における異物の挿入を説明する図である。
【図９】本発明の他の実施形態によるロック機構を示す分解斜視図である。
【図１０】従来のカード処理装置の一例を示す外観図である。
【図１１】同装置におけるシャッタの斜視図である。
【図１２Ａ】同装置におけるシャッタの動作を説明する図である。
【図１２Ｂ】同装置におけるシャッタの動作を説明する図である。
【図１２Ｃ】同装置におけるシャッタの動作を説明する図である。
【図１３】同装置における異物の挿入を説明する図である。
【図１４】同装置におけるシャッタの傾きを説明する図である。
【符号の説明】
【００８３】
３    カード挿入口
４    シャッタ
５，６  突起
１０，２０  ロック部材
１１，２１  アーム部
１１ｄ，２１ｄ  先端部
１１ｃ，２１ｃ  受面
１２ａ，１２ｂ，２２ａ，２２ｂ  ガイド部
１３，２３  凹部
４２，４３，４４，４５  ガイド部
５０  カード
６０  異物
８０，９０  ロック部材
８１，９１  アーム部
８１ｄ，９１ｄ  先端部
８２ａ，８２ｂ，９２ａ，９２ｂ  ガイド部
Ａ    カード処理装置
【図１】
0005049760.tif 000002
【図２】
0005049760.tif 000003
【図３】
0005049760.tif 000004
【図４】
0005049760.tif 000005
【図５Ａ】
0005049760.tif 000006
【図５Ｂ】
0005049760.tif 000007
【図５Ｃ】
0005049760.tif 000008
【図５Ｄ】
0005049760.tif 000009
【図６】
0005049760.tif 000010
【図７】
0005049760.tif 000011
【図８】
0005049760.tif 000012
【図９】
0005049760.tif 000013
【図１０】
0005049760.tif 000014
【図１１】
0005049760.tif 000015
【図１２Ａ】
0005049760.tif 000016
【図１２Ｂ】
0005049760.tif 000017
【図１２Ｃ】
0005049760.tif 000018
【図１３】
0005049760.tif 000019
【図１４】
0005049760.tif 000020